(57)【要約】  本発明は、毛を人の皮膚から抜き取る脱毛器具であって、脱毛器具は、脱毛ヘッド（２）を支持したハウジング（１）を有し、脱毛ヘッドは、駆動手段（５）によって駆動され、脱毛ヘッドは、その外面の付近に抜き取られるべき毛を少なくとも一時的に保持する毛保持要素（４）を備え、ハウジング（１）に対する脱毛ヘッド（２）の外面の速度は、０．６ｍ／秒以下、特に０．１５ｍ／秒よりも遅いことを特徴とする脱毛器具に関する。
2007529289.tif 000002
【特許請求の範囲】
【請求項１】
毛を人の皮膚から抜き取る脱毛器具であって、脱毛ヘッド（２）を支持したハウジング（１）を有し、前記脱毛ヘッドが、駆動手段（５）によって駆動され、前記脱毛ヘッドが、その外面の付近に抜き取られるべき毛を少なくとも一時的に保持する毛保持要素（４）を備える脱毛器具において、前記ハウジング（１）に対する前記脱毛ヘッド（２）の前記外面の速度は、０．６ｍ／秒以下、特に０．１５ｍ／秒以下である、脱毛器具に関する。
【請求項２】
前記脱毛ヘッド（２）は、前記ハウジング（１）内に可動的に支持され、前記脱毛ヘッドは、その外面の付近にクランプ要素（４）を備え、前記クランプ要素は、前記クランプ要素が作動手段の作用を受けたとき、毛をクランプし、抜き取り、そして放すために開閉運動を行う、請求項１記載の脱毛器具。
【請求項３】
前記脱毛ヘッド（２）は、回転的に駆動される、請求項１又は２記載の脱毛器具。
【請求項４】
前記脱毛ヘッド（２）は、回転／振動的に駆動される、請求項１〜３のうちいずれか一に記載の脱毛器具。
【請求項５】
前記脱毛ヘッド（２）は、直線送り運動の向きで前記ハウジング（１）に対して駆動される、請求項１〜４のうちいずれか一に記載の脱毛器具。
【請求項６】
前記脱毛ヘッド（２）は、振動的に駆動される、請求項５記載の脱毛器具。
【請求項７】
前記脱毛ヘッド（２）は、毛を捕らえて抜き取る粘着面を備えている、請求項１記載の脱毛器具。
【請求項８】
前記脱毛ヘッド（２）は、粘着層を備えた可動バンドにより形成される、請求項７記載の脱毛器具。
【請求項９】
抜き取られるべき前記毛を揃える手段が、前記脱毛ヘッド（２）の付近に設けられている、請求項１〜８のうちいずれか一に記載の脱毛器具。
【請求項１０】
前記皮膚を前記毛の抜き取り箇所の付近で押さえつける手段が設けられている、請求項１〜９のうちいずれか一に記載の脱毛器具。
【請求項１１】
前記脱毛器具は、数個の脱毛ヘッド（２）を備えている、請求項１〜１０のうちいずれか一に記載の脱毛器具。
【請求項１２】
人の皮膚から毛を抜き取る方法であって、前記ハウジング（１）に割り当てられた脱毛ヘッド（２）を毛が前記脱毛ヘッド（２）により抜き取られるような仕方で前記皮膚上でこれに沿って案内し、前記脱毛ヘッドが、その外面の付近に抜き取られるべき毛を少なくとも一時的に保持する毛保持要素（４）を備え、前記脱毛ヘッド（２）が、前記ハウジング（１）に対して相対運動を行う方法において、この相対運動は、０．６ｍ／秒以下、特に０．１５ｍ／秒未満の速度で起こる、方法。
【請求項１３】
請求項１〜１１のうちいずれか一に記載の器具を用いる請求項１２記載の方法。
【発明の詳細な説明】
【技術分野】
【０００１】
本発明は、毛を人の皮膚から抜き取る脱毛器具であって、脱毛ヘッドを支持したハウジングを有し、脱毛ヘッドが、駆動手段によって駆動され、脱毛ヘッドが、その外面の付近に抜き取られるべき毛を少なくとも一時的に保持する毛保持要素を備える脱毛器具に関する。本発明は更に、人の皮膚から毛を抜き取る方法であって、ハウジングに割り当てられた脱毛ヘッドを毛が脱毛ヘッドにより抜き取られるような仕方で皮膚上でこれに沿って案内し、脱毛ヘッドが、その外面の付近に抜き取られるべき毛を少なくとも一時的に保持する毛保持要素を備え、脱毛ヘッドが、ハウジングに対して相対運動を行う方法に関する。
【背景技術】
【０００２】
この種の器具及び方法は、美容上の除毛のために用いられ、現在入手できる器具のうち大部分は、回転駆動式ローラ形脱毛ヘッドを備え、この脱毛ヘッドは、その外面の付近にクランプ要素を有し、これらクランプ要素は、これが作動手段の作用を受けると、毛をクランプし、抜き取り、そして放すために開閉運動を行う。個々のクランプ要素の開閉運動を行わせる種々の形式の機構体が用いられている。欧州特許出願公開第５３２，１０６号明細書は、この種の脱毛器具を記載しており、この脱毛器具では、ローラ形脱毛ヘッドが、多数の円板要素で構成され、約２，３００ｒｐｍの速度で回転的に駆動される。脱毛ヘッドの直径は、約１．７ｃｍであり、従って周速度、従って毛抜き取り速度は、約２ｍ／秒に達するようになっている。
【０００３】
このような速さの毛抜き取り速度は、効率及び痛みの感じ方に関して或る特定の利点をもたらすが、この高い抜き取り速度は、毛の機械的応力と関連があり、この機械的応力では、抜き取られる毛の半分という多くの量が引きちぎれる場合が多いということが判明した。この場合、毛は通常、毛の根元と毛が皮膚から出ている箇所との間の領域、即ち皮膚の表面の下で引きちぎれる。毛の根元を除去できなかった毛の成長は、途切れることなく続き、その結果これらの毛は引きちぎれの場所に応じて、数日後には既に皮膚の表面から再び出ているようになる。
【０００４】
本発明は、根元から除去される毛の割合が、これまで知られている脱毛器具の場合よりも著しく高い上述した形式の脱毛器具を開発するということを目的としている。この結果、毛の除去状態が長く続き、即ち、所要の脱毛プロセス相互間の時間間隔を著しく延長させることができる。この目的は、可能な限り最も単純な手段で達成されるべきである。
【０００５】
本発明によれば、この目的は、ハウジングに対する脱毛ヘッドの外面の速度が、０．６ｍ／秒以下、特に０．１５ｍ／秒以下であるという特徴によって達成される。
【０００６】
本発明の脱毛器具により、毛がいったんクランプ要素により捕らえられると、毛が持続的な仕方で除去されるようにすることができる。毛は根元から除去される。というのは、遅い抜き取り速度により、抜かれている毛の機械的応力が、引きちぎれを阻止するような程度に減少し、脱毛と皮膚表面上への再成長した毛の出現との間の時間間隔が、それに応じて延ばされる。また、少なくとも目で見た上で除去されるようにするためにもう一度捕らえなければならない場合のある引きちぎれた状態の毛を抜き取るのとは対照的に、毛をいったん掴んで毛を完全に除去して潜在的な引き抜きの際の痛みが一度で済むということは、有利である。
【０００７】
本発明の脱毛器具の脱毛ヘッドは有利には、回転的及び（又は）直線的に駆動できる。それぞれの運動を絶え間ないやり方か、振動方式かのいずれかで行うことができる。この点に関し、振動形態の駆動装置は、特に抜き取られるべき毛を揃えるための手段を更に設けると、毛は好ましくは、毛の成長方向に抜き取られるという利点をもたらす。これは、抜き取りプロセスが遅い場合に生じる潜在的な痛みを減少させる点で有利である。
【０００８】
痛みの減少に関するもう１つの有利な効果は、例えば独国実用新案第８９０６７７４号明細書に記載されているように、皮膚を毛の抜き取り箇所の付近で押さえつけ又は引き延ばす手段を設けることにより実現できる。これにより、痛みを感じる原因となる場合のある皮膚表面に垂直な引き抜きが阻止される。
【０００９】
引き抜き速度の遅い脱毛器具の具体化に関し、脱毛ヘッドは、毛を押さえつけて引き抜く粘着面を備えるのが有利である。かかる器具では、抜き取られるべき毛は、脱毛ヘッドと接触した後に脱毛ヘッドにくっつき、皮膚と脱毛ヘッドの表面との間の相対運動に起因して引き抜かれる。この場合、脱毛ヘッドは、粘着層を備える可動バンドの形態でも具体化できる。この種の脱毛器具は、独国実用新案第１０３４５５９２．２−２３号明細書から既に知られている。
【００１０】
時間の関数としての抜き取り速度は、ハウジングに対する脱毛ヘッドの運動が遅いことにより従来型抜き取りヘッドの抜き取り速度よりも低いので、脱毛ヘッドが多数の抜き取りオプションを備えていれば効率の面で有利である。脱毛器具が例えば連続して配置され、同時に働く数個の脱毛ヘッドを備えていれば特に有利である。
【００１１】
本発明の他の目的、特徴、利点及び利用可能性は、実施形態についての以下の説明から得られる。この点に関し、全ての説明し又は図示した特徴は、本発明の目的を個別的に又は恣意的な組合せの状態で、即ち、特許請求の範囲におけるこれらの組合せ又はこれらの後戻り参照とは無関係に達成する。
【発明を実施するための最良の形態】
【００１２】
脱毛器具は、ハウジング１を備え、ローラ形脱毛ヘッド２が、その長手方向軸線３回りに回転可能であるようにこのハウジング内に支持されている。脱毛ヘッドの外面上に配置された多数のクランプ要素が、互いに対する開閉運動を行って、これらクランプ要素が、毛を２つの割り当てられたクランプ要素相互間でクランプすると共にこれらの毛を引き抜き、次に放すことができるようになっている。
【００１３】
脱毛ヘッド２は、これが電気モータ５により長手方向軸線３回りに回転するように駆動可能である。この目的のため、電気モータ５は、多数の歯車の対から成る歯車機構体を介して脱毛ヘッド２の駆動歯車６に結合されている。これに対応して設けられた制御要素により、規定された扇形範囲内に位置するクランプ要素４は、長手方向軸線３回りの脱毛ヘッドの回転運動中、交互に開閉し、脱毛ヘッド２を皮膚上でこれに沿って案内しながら、皮膚上に位置する毛を捕らえ、クランプし、そして引き抜くことができるようになっている。クランプ要素４の開閉は、例えば国際公開第９８／０５２３４号パンフレットに記載されているように実現できる。
【００１４】
脱毛ヘッド２の直径に応じて、電気モータ５は、中間歯車を考慮して、１分間あたりの回転数の状態で表される脱毛ヘッドの速度とミリメートルで表される脱毛ヘッドの直径との比が、システムの回転中、２５以下に達するような速度で駆動される。脱毛が続くことに関する更に優れた効果は、この比が１０未満であれば達成される。これは、それぞれ、０．６ｍ／秒未満、０．１５ｍ／秒未満の周速度に対応している。ハウジング１に対する脱毛ヘッド２のこれら速度は、クランプ要素４が軸線回りに回転する回転システムに当てはまるだけでなく、脱毛ヘッドがハウジングに対して直線運動を行う脱毛器具の図示していない実施形態にも当てはまる。脱毛ヘッドがハウジングに対して振動運動を行う場合、これら速度の値は、２つの反転箇所相互間の平均速度に当てはまる。
【図面の簡単な説明】
【００１５】
【図１】本発明の脱毛器具を示す図である。
【図１】
2007529289.tif 000003
【国際調査報告】
2007529289.tif 000004
2007529289.tif 000005
2007529289.tif 000006
2007529289.tif 000007
2007529289.tif 000008
2007529289.tif 000009